【手続補正書】
【提出日】平成16年1月30日(2004.1.30)
【手続補正１】
【補正対象書類名】明細書
【補正対象項目名】特許請求の範囲
【補正方法】変更
【補正の内容】
【特許請求の範囲】
【請求項１】
廃棄物を熱分解ガス化し、生成するガスとチャーを高温燃焼して灰分を溶融スラグ化する廃棄物の燃焼処理方法において、前記廃棄物を熱分解ガス化する炉と、その後段に配置されたガスとチャーを高温燃焼する炉とをガスダクトにて連結し、該ガスダクトに空気又は酸素富活空気を供給して、該ガスダクト内の前記ガスとチャーを部分燃焼して後段の炉の入口部のガス温度を上昇させることを特徴とする廃棄物の燃焼処理方法。
【請求項２】
前記廃棄物を熱分解ガス化する温度が４５０〜６５０℃であり、前記ガスとチャーを高温燃焼する温度が１２００〜１６００℃であることを特徴とする請求項１記載の廃棄物の燃焼処理方法。
【請求項３】
前記ガスダクトに供給する空気量が、前記廃棄物の理論燃焼空気量の１０〜５０％に相当することを特徴とする請求項１記載の廃棄物の燃焼処理方法。
【請求項４】
廃棄物を熱分解ガス化してガスとチャーを生成する炉と、生成したガスとチャーを高温燃焼して灰分を溶融スラグ化する炉と、前記両炉を連結するガスダクトとを備え、該ガスダクトの側面に空気ジャケットを設けて、該ガスダクト内に空気を流入させることを特徴とする廃棄物の燃焼処理装置。
【請求項５】
前記廃棄物を熱分解ガス化する炉が、流動層炉であり、前記ガスとチャーを高温燃焼する炉が旋回溶融炉であることを特徴とする請求項４記載の廃棄物の燃焼処理装置。
【請求項６】
前記ガスダクトに供給する空気が、酸素富活空気であることを特徴とする請求項４又は５記載の廃棄物の燃焼処理装置。
【請求項７】
廃棄物を熱分解ガス化してチャーを含む生成ガスを生成する流動層炉と、チャーを含む生成ガスを高温燃焼して灰分を溶融スラグ化する溶融炉とを備えた廃棄物の処理装置において、前記両炉を連結し、ダクト内に空気が供給されるとともに、該溶融炉の内壁に沿って該生成ガスの旋回流を形成させるように該溶融炉に接続されたガスダクトと、該ガスダクトに接続される該溶融炉の一次燃焼室に該生成ガスの旋回流に沿って空気又は酸素富活空気が供給される空気流入部とが設けられたことを特徴とする廃棄物の処理装置。
【請求項８】
廃棄物を熱分解ガス化してチャーを含む生成ガスを生成する流動層炉と、チャーを含む生成ガスを高温燃焼して灰分を溶融スラグ化する溶融炉とを備えた廃棄物の処理装置において、該処理装置は、前記両炉を連結し、該溶融炉の内壁に沿って該生成ガスの旋回流を形成させるように該溶融炉に接続されたガスダクトを備えており、該ガスダクトは、内面キャスター張りで、煙道の縦方向の寸法が横方向の寸法より大きい角形とされたことを特徴とする廃棄物の処理装置。
【手続補正２】
【補正対象書類名】明細書
【補正対象項目名】０００７
【補正方法】変更
【補正の内容】
【０００７】
【課題を解決するための手段】
上記目的を達成するため本発明の廃棄物の燃焼処理方法は、廃棄物を熱分解ガス化し、生成するガスとチャーを高温燃焼して灰分を溶融スラグ化する廃棄物の燃焼処理方法において、前記廃棄物を熱分解ガス化する炉と、その後段に配置されたガスとチャーを高温燃焼する炉とをガスダクトにて連結し、該ガスダクトに空気又は酸素富活空気を供給して、該ガスダクト内の前記ガスとチャーを部分燃焼して後段の炉の入口部のガス温度を上昇させることを特徴とする。
また、前記廃棄物を熱分解ガス化する温度が４５０〜６５０℃であり、前記ガスとチャーを高温燃焼する温度が１２００〜１６００℃であることを特徴とする。
【手続補正３】
【補正対象書類名】明細書
【補正対象項目名】０００８
【補正方法】変更
【補正の内容】
【０００８】
また、前記ガスダクトに供給する空気量が、前記廃棄物の理論燃焼空気量の１０〜５０％に相当することを特徴とする。
本発明の廃棄物の燃焼処理装置は、廃棄物を熱分解ガス化してガスとチャーを生成する炉と、生成したガスとチャーを高温燃焼して灰分を溶融スラグ化する炉と、前記両炉を連結するガスダクトとを備え、該ガスダクトの側面に空気ジャケットを設けて、該ガスダクト内に空気を流入させることを特徴とする。
また、前記廃棄物を熱分解ガス化する炉が、流動層炉であり、前記ガスとチャーを高温燃焼する炉が旋回溶融炉であることを特徴とする。
また、前記ガスダクトに供給する空気が、酸素富活空気であることを特徴とする。
【手続補正４】
【補正対象書類名】明細書
【補正対象項目名】０００９
【補正方法】変更
【補正の内容】
【０００９】
また、本発明の廃棄物の処理装置は、廃棄物を熱分解ガス化してチャーを含む生成ガスを生成する流動層炉と、チャーを含む生成ガスを高温燃焼して灰分を溶融スラグ化する溶融炉とを備えた廃棄物の処理装置において、前記両炉を連結し、ダクト内に空気が供給されるとともに、該溶融炉の内壁に沿って該生成ガスの旋回流を形成させるように該溶融炉に接続されたガスダクトと、該ガスダクトに接続される該溶融炉の一次燃焼室に該生成ガスの旋回流に沿って空気又は酸素富活空気が供給される空気流入部とが設けられたことを特徴とする。
また、本発明の廃棄物の処理装置の他の態様は、廃棄物を熱分解ガス化してチャーを含む生成ガスを生成する流動層炉と、チャーを含む生成ガスを高温燃焼して灰分を溶融スラグ化する溶融炉とを備えた廃棄物の処理装置において、該処理装置は、前記両炉を連結し、該溶融炉の内壁に沿って該生成ガスの旋回流を形成させるように該溶融炉に接続されたガスダクトを備えており、該ガスダクトは、内面キャスター張りで、煙道の縦方向の寸法が横方向の寸法より大きい角形とされたことを特徴とする。
【手続補正５】
【補正対象書類名】明細書
【補正対象項目名】００１２
【補正方法】変更
【補正の内容】
【００１２】
図１は、本発明に係る廃棄物の燃焼処理装置１０を示す。廃棄物の燃焼処理装置１０は、処理すべき廃棄物ａを定量供給するための定量供給装置２０と、定量供給された廃棄物ａを熱分解ガス化する流動層炉３０と、流動層炉２０からのチャーを同伴した生成ガスｄを高温燃焼して溶融スラグ化する旋回溶融炉４０と、流動層炉３０で生成された生成ガスｄを旋回溶融炉４０に導くダクト５０とを備えている。


【手続補正６】
【補正対象書類名】明細書
【補正対象項目名】００１６
【補正方法】変更
【補正の内容】
【００１６】
旋回溶融炉４０はダクト５０で部分燃焼された生成ガスｄを一次燃焼させる一次燃焼室４２と、二次燃焼室４３と、一次燃焼室４２と二次燃焼室４３で生成された溶融スラグｆを分離するスラグ分離部４４と、スラグｆが除去された生成ガスｄを燃焼させる三次燃焼室４６とを備えている。
一次燃焼室４２は図２に示されるように、円筒状に形成されていて、ダクト５０は、一次燃焼室４２に供給される生成ガスｄが一次燃焼室４２の内壁に沿って、旋回流を形成するように、一次燃焼室４２に接続されている。また、一次燃焼室４２には生成ガスの旋回流に沿って予熱された空気ｃが供給されるように空気流入部が設けられている。これによって、一次燃焼室４２に導入された生成ガスｄは空気ｃと旋回流中で混合されながら１２００〜１６００℃で燃焼する。スラグ分離部４４は二次燃焼室４３の中間に設けられており、一次燃焼室４２と二次燃焼室４３で生成された溶融スラグは、それぞれの燃焼室４２，４３の内壁を伝わって下方へ流れ、二次燃焼室４３の間にあるスラグ分離部４４から排出されるように構成されている。また、三次燃焼室４６にも空気ｃを供給するように構成されており、スラグｆが除かれた生成ガスｄは三次燃焼室４６で空気ｃと混合されて残留する未燃分を完全燃焼する。